(57)【特許請求の範囲】
【請求項１】
前後方向に長い本体と、
該本体内に設けられ、高湿度空気を生成する高湿度空気生成手段と、
前記本体に着脱自在に取り付けられ、前記高湿度空気生成手段に水を供給する給水タンクと、
前記高湿度空気を前記本体外へ送出するための搬送風を発生させる送風機と、を備え、
前記高湿度空気と前記搬送風を混合するダクトが設けられ、
該ダクトは前記高湿度空気と前記搬送風を混合する混合部を有し、該混合部は円筒形状をしており、この円筒形状の側面に前記搬送風を導入する導入口を設け、
前記ダクトは前記高湿度空気生成手段の上方に設けられており、前記高湿度空気は前記ダクト内を前記混合部まで上昇し、前記搬送風を前記高湿度空気の側方から導入するように前記導入口を設け、
前記送風機が発生させた風は複数に分岐され、その内の１つが前記搬送風として前記導入口から導入され、前記混合部の円筒形状の内周に沿って前記ダクト内に流入するようになっており、
分岐された風の他の１つは、前記本体の前方寄りで、前記搬送風と混合された前記高湿度空気を本体外へ送出する吹き出し口の上方に設けられ、前記本体の前後方向に移動可能で、後方の位置にあっても前方に移動させても送風可能な可動ダクトの送風口から、前記本体の前方へ向かって送風されるようになっており、
前記高湿度空気生成手段の上方に設けられ、前記ダクトと連通し前記高湿度空気が通気可能な開口を有するカバーを備え、
前記カバーが前記本体に取り付けられた状態で、前記カバーの前記開口は、前記本体の前後方向と同じ方向が長手方向となるように、前記本体の左右方向の中央の位置に設けられたことを特徴とする加湿機。
【請求項２】
前記カバーの前記開口は、前記搬送風が前記導入口から前記混合部に導入されてすぐに、前記開口を通過した前記高湿度空気とぶつかる位置に設けられたことを特徴とする請求項１に記載の加湿機。
【請求項３】
前記カバーは下面が開口した円筒形状をしていて上面に前記開口を有し、前記上面は前記円筒形状外周から前記開口に向かって傾斜していることを特徴とする請求項１あるいは請求項２何れかに記載の加湿機。
【発明の詳細な説明】
【技術分野】
【０００１】
本発明は高湿度の空気を供給する加湿機に関し、詳しくは高湿度空気を、高湿度空気を搬送する搬送風と混合する加湿機に関する。
【背景技術】
【０００２】
高温の高湿度空気、例えば蒸気を生成する加湿機では、生成した蒸気だけでは意図する方向に加湿のための高湿度空気を送出することが難しく、また、高温の蒸気はそのままでは加湿のための高湿度空気として使えないので、温度を下げる必要がある。
【０００３】
そこで、蒸気を常温の空気と混合することで、蒸気の温度を下げ、その常温の空気と混合した蒸気を、温度を下げた高湿度空気として送出するようにした加湿機が知られている（特許文献１参照）。
【先行技術文献】
【特許文献】
【０００４】
【特許文献１】特開２００６−３１３０５１号公報（第３頁、図１）
【発明の概要】
【発明が解決しようとする課題】
【０００５】
特許文献１に記載の加湿機では、空気の取り入れと蒸気の発生装置を、高湿度空気として送出するための送風ファンの上流で行っていて、空気と蒸気を送風ファンに取り込んで送出している。しかし、空気と蒸気がそれぞれ送風ファンに取り込まれるため、空気と蒸気の混合が確実ではなく、蒸気の温度を安定して下げられないという問題があった。
【０００６】
本発明は以上のような課題を解決するためになされたもので、空気と高温の高湿度空気を確実に混合し、安定して温度を下げた高湿度空気を送出できる安全で使い勝手のよい加湿機を提供することを目的とする。
【課題を解決するための手段】
【０００７】
課題を解決する本発明に係る加湿機は、前後方向に長い本体と、本体内に設けられ、高湿度空気を生成する高湿度空気生成手段と、本体に着脱自在に取り付けられ、高湿度空気生成手段に水を供給する給水タンクと、高湿度空気を本体外へ送出するための搬送風を発生させる送風機と、を備え、高湿度空気と搬送風を混合するダクトが設けられ、ダクトは高湿度空気と搬送風を混合する混合部を有し、混合部は円筒形状をしており、この円筒形状の側面に搬送風を導入する導入口を設け、ダクトは高湿度空気生成手段の上方に設けられており、高湿度空気はダクト内を混合部まで上昇し、搬送風を高湿度空気の側方から導入するように導入口を設け、送風機が発生させた風は複数に分岐され、その内の１つが搬送風として導入口から導入され、混合部の円筒形状の内周に沿ってダクト内に流入するようになっており、分岐された風の他の１つは、本体の前方寄りで、搬送風と混合された高湿度空気を本体外へ送出する吹き出し口の上方に設けられ、本体の前後方向に移動可能で、後方の位置にあっても前方に移動させても送風可能な可動ダクトの送風口から、本体の前方へ向かって送風されるようになっており、高湿度空気生成手段の上方に設けられ、ダクトと連通し高湿度空気が通気可能な開口を有するカバーを備え、カバーが本体に取り付けられた状態で、カバーの開口は、本体の前後方向と同じ方向が長手方向となるように、本体の左右方向の中央の位置に設けられたものである。
【発明の効果】
【０００８】
本発明に係る加湿機によれば、高湿度空気と搬送風を混合するダクトを設け、ダクトを円筒状にして、この円筒形状の側面に搬送風を導入する導入口を設けたので、高湿度空気の側方から搬送風がぶつかり、高湿度空気と搬送風の混合が促進され、確実に混合されることで安定して高湿度空気の温度を下げることができ、使用者が安心して加湿機を使用することができる。
【図面の簡単な説明】
【０００９】
【図１】（ａ）本発明の実施の形態１に係る加湿機の概略構成を示す前側に近い方から見た全体斜視図、（ｂ）本発明の実施の形態１に係る加湿機の概略構成を示す後側に近い方から見た全体斜視図である。
【図２】本発明の実施の形態１に係る加湿機の概略構成を示す側面に近い方から見た全体斜視図である。
【図３】本発明の実施の形態１に係る加湿機の可動ダクトを前方に移動した状態の斜視図である。
【図４】本発明の実施の形態１に係る加湿機から本体カバーと給水タンクカバーと給水タンクを取り外した状態の斜視図である。
【図５】本発明の実施の形態１に係る加湿機の側面方向から見た全体断面図である。
【図６】本発明の実施の形態１に係る加湿機の給水タンク取付け部の要部断面拡大図である。
【図７】本発明の実施の形態１に係る加湿機の給水タンク取付け部を上方から見た平面図である。
【図８】本発明の実施の形態１に係る加湿機の給水タンクカバーを外した状態の後方からの斜視図である。
【図９】（ａ）本発明の実施の形態１に係る加湿機の給水タンクの取り外し前の状態を側面方向から見た要部断面図、（ｂ）本発明の実施の形態１に係る加湿機の給水タンクの取り外し始めの状態を側面方向から見た要部断面図、（ｃ）本発明の実施の形態１に係る加湿機の給水タンクの取り外し後の状態を側面方向から見た要部断面図である。
【図１０】（ａ）本発明の実施の形態１に係る加湿機の給水タンクの通常使用状態の側面図、（ｂ）本発明の実施の形態１に係る加湿機の給水タンクを側面方向から見た断面図、（ｃ）本発明の実施の形態１に係る加湿機の給水タンクを持ち上げた状態の側面図である。
【図１１】本発明の実施の形態１に係る加湿機の本体カバーと給水タンクカバーが一体となった状態の断面図である。
【図１２】本発明の実施の形態１に係る加湿機の本体カバーを下方から見た斜視図である。
【図１３】（ａ）本発明の実施の形態１に係る加湿機の給水タンクカバーの斜視図、（ｂ）本発明の実施の形態１に係る加湿機の給水タンクカバーを下方から見た斜視図である。
【図１４】本発明の実施の形態１に係る加湿機の本体カバーと給水タンクカバーが一体となった状態で、可動ダクトを前方に移動した状態の断面図である。
【図１５】本発明の実施の形態１に係る加湿機の本体カバーから給水タンクカバーを取り外した状態の上方斜め後方から見た斜視図である。
【図１６】（ａ）図１２の要部拡大図、（ｂ）可動ダクトを前方に移動した状態の本体カバーの爪部と給水タンクカバーの爪係合部の要部断面図、（ｃ）可動ダクトを後方に移動した状態の本体カバーの爪部と給水タンクカバーの爪係合部の要部断面図である。
【図１７】（ａ）本発明の実施の形態１に係る加湿機の蒸気ダクトの斜視図、（ｂ）本発明の実施の形態１に係る加湿機の蒸気ダクトの分解斜視図である。
【図１８】（ａ）本発明の実施の形態１に係る加湿機の蒸気ダクトの回収穴周辺を上方から見た斜視図、（ｂ）本発明の実施の形態１に係る加湿機の蒸気ダクトの回収穴周辺を上方から見た上面図である。
【図１９】（ａ）本発明の実施の形態１に係る加湿機の蒸気ダクトの正面図、（ｂ）本発明の実施の形態１に係る加湿機の蒸気ダクトを断面Ｈ−Ｈで切断した側面方向から見た断面図である。
【図２０】本発明の実施の形態１に係る加湿機の蒸気ダクトを下方から見た斜視図である。
【図２１】本発明の実施の形態１に係る加湿機の蒸気生成装置（高湿度空気生成手段）カバーを上方から見た斜視図である。
【図２２】（ａ）本発明の実施の形態１に係る加湿機の蒸気ダクトを上方から見た平面図、（ｂ）本発明の実施の形態１に係る加湿機の蒸気ダクトの側面図である。
【発明を実施するための形態】
【００１０】
実施の形態１．
（全体の構成）
図１〜図７を適宜使用し、本発明の実施の形態１に係る加湿機の概略構成を説明する。
なお、それぞれの図において、同じ部分または相当する部分には同じ符号を付し、一部の説明を省略する場合がある。
【００１１】
本発明の実施の形態１に係る加湿機１００は、高湿度空気生成送風ユニットである本体１に後述する給水タンク４１を取り付け、本体カバー２及び給水タンクカバー３を被せて構成されている。
【００１２】
図１（ｂ）に示すように、本体後側下部にある電源コード接続部１７は、加湿機１００に商用電源を接続するための、図示しないマグネット式電源コードを接続する部位である。加湿機の電源コードは、例えば、意図せず電源コードに引っ掛かってしまったときに加湿機１００が転倒しないよう、接続箇所に所定以上の力が加わると外れるようにマグネット式の電源コードになっている。
【００１３】
また、図１（ｂ）及び図５に示すように、電源コード接続部１７の上部には、電源コード接続部１７に被るように、本体１の後側より水平方向に突出したリブ状の庇形状３０が設けられている。この庇形状３０は、後述する給水タンク４１を取り外すときに、後方に傾斜させて取り外すので、その際、給水タンク４１から水が滴下したとしても、通電部である電源コード接続部１７に水滴が直接滴下しないようにするためのものである。
【００１４】
本体カバー２の本体カバー前側２ａは光透過性を有する樹脂材で形成されており、図４に示す本体１に設けられた発光表示操作部１１が備える発光部１１６、１１７ａ〜１１７ｇ、１１８が発光すると、その光を透過して本体カバー前側２ａで発光部１１６、１１７ａ〜１１７ｇ、１１８が発光したことが視認できるようになっている。
【００１５】
本体カバー２の前側２ａ以外の部位である本体カバー右側２ｂ、本体カバー左側２ｃ（図８参照）、本体カバー上側２ｄも樹脂材で形成されていて、同一の樹脂材により一体で形成してもよいが、光透過性を必要としないので本体カバー前側２ａとは異なる樹脂材で形成している。
【００１６】
本体カバー２の本体カバー前側２ａには電源スイッチ４及びタイマースイッチ５が設けられている。電源スイッチ４及びタイマースイッチ５は樹脂材で形成されており、本体に被せたときに、本体１に設けられた発光表示操作部１１が備える電源ボタン１１４とタイマーボタン１１５を、それぞれ操作入力できるようになっている。
【００１７】
本体の内部の前側には図５に示すように、操作基板１１１が配置されている。操作基板１１１には、発光表示操作部１１が備える電源ボタン１１４とタイマーボタン１１５用の図示しない機械式スイッチ、及び発光部１１６、１１７ａ〜１１７ｇ、１１８用の図示しないＬＥＤが実装されている。
【００１８】
操作基板１１１は図示しない接続電線で、操作基板１１１の後方に配置された制御基板１８と電気的に接続されている。制御基板１８には、図示しないマイコン等の加湿機１００の動作を制御する電子部品が実装されていて、例えば本体カバー前側２ａに設けられたタイマースイッチ５を操作すると、その入力により加湿機１００の運転時間が設定され、その設定された時間で加湿運転が行われる。
【００１９】
制御基板１８の後方には、高湿度空気生成手段である蒸気生成装置７１が配置されてい
る。蒸気生成装置７１は、上方が開口した金属部材から成る円形の深皿状をしており、その深皿状の外周に蒸気生成用ヒーター７２が巻かれている（図５参照）。
【００２０】
蒸気生成装置７１には、後述する給水タンク４１に収容された水が、図７に示す本体給水路１５１を通過し、本体給水路１５１よりも低い位置に設けられた貯水部１７１に貯められて、その貯水部１７１と連通する蒸気生成装置給水経路７４を経由して水供給口７３から供給される。
【００２１】
（給水タンクの取り付け構成と給水タンクの構成）
ここで、給水タンク４１の本体１への取り付け構成について、図８、図９（ａ）、（ｂ）、（ｃ）及び前述の図を使用し説明する。図８は本発明の実施の形態１に係る加湿機の給水タンクカバーを外した状態の後方からの斜視図、図９（ａ）は本発明の実施の形態１に係る加湿機の給水タンクの取り外し前の状態を側面方向から見た要部断面図、図９（ｂ）は本発明の実施の形態１に係る加湿機の給水タンクの取り外し始めの状態を側面方向から見た要部断面図、図９（ｃ）は本発明の実施の形態１に係る加湿機の給水タンクの取り外し後の状態を側面方向から見た要部断面図である。
【００２２】
まず、給水タンク４１は、図８に示すように加湿機１００の後方の給水タンクカバー３を取り外すと露出するようになっている。給水タンク４１は、本体側風路１６の後方で送風機６１の上方に設けられた、図６、図７に示す給水タンク取付け部１２に取り付けられている。
【００２３】
給水タンク取付け部１２の内部には、給水タンク４１にねじ込み式で着脱可能に取り付けられた、後述する水供給機構４４を有するキャップ４２を収容するキャップ収容部１３が設けられている。
【００２４】
ここで、図１０（ａ）、（ｂ）、（ｃ）を使用し給水タンク４１の構成を説明する。図１０（ａ）は本発明の実施の形態１に係る加湿機の給水タンクの通常使用状態の側面図、図１０（ｂ）は本発明の実施の形態１に係る加湿機の給水タンクを側面方向から見た断面図、図１０（ｃ）は本発明の実施の形態１に係る加湿機の給水タンクを持ち上げた状態の側面図である。
【００２５】
給水タンク４１は、樹脂材で形成された中空の容器状になっていて、通常使用状態で給水タンク４１の上部となる位置に、回動自在のハンドル４５が設けられている。ハンドル４５の回動軸４５ａは、前後方向で見たときに給水タンク４１の重心Ｇよりも前方に配置されている。ここでいう前方とは、加湿機１００に取り付けたときの、吹き出し口２１側の方向のことである。
【００２６】
そのため、給水タンク４１を、ハンドル４５を持って持ち上げると、図１０（ｃ）に示すように、回動軸４５ａの回動軸の軸中心から真っ直ぐ下に下ろした線上に給水タンク４１の重心Ｇが来るように傾斜するようになっている。言い換えると、給水タンク４１の上方が後方に傾斜するようになっている。
【００２７】
また、給水タンク４１には、通常使用状態で給水タンク４１の下部となる位置に設けられた注水口４３にはねじ込み式のキャップ４２が取り付けられていて、内部に注水できるようになっている。注水は、通常使用状態で給水タンク４１の下部となる位置に設けられた注水口４３に取り付けられたねじ込み式のキャップ４２を取り外して、通常使用状態とは逆の向きで行う。
【００２８】
キャップ４２は、前述のように水供給機構４４を有しており、水供給機構４４は、止水弁４４ａと止水弁開閉軸４４ｂ及びバネ４４ｃで構成されている。止水弁４４ａは止水弁開閉軸４４ｂに取り付けられていて、キャップ４２に設けられた円周状のリブ４２ａと全周が接触することで閉塞され止水するようになっていて、バネ４４ｃで閉塞方向に付勢されている。
【００２９】
また、止水弁４４ａは、通常使用状態では、傘を逆さまにしたような形状が上に向くようになっていて、注水した後に通常使用状態の向きに戻すと、傘を逆さまにしたような形状のところに水の圧力が掛かるので、止水弁４４ａがリブ４２ａと接触する方向、つまりは止水弁４４ａが閉塞する方向に圧力が掛かり、給水タンク４１に注水した水は漏れないようになっている。
【００３０】
通常使用状態の向きで、バネ４４ｃ及び水の圧力で閉塞されている止水弁４４ａは、止水弁４４ａが取り付けられている止水弁開閉軸４４ｂを押し上げ、給水タンク４１内に空気が入るようにすることで水が供給可能な状態になる。
【００３１】
給水タンク４１を本体１の給水タンク取付け部１２に取り付けると、図７に示すキャップ受け部１３のほぼ中央に設けられた止水弁開閉軸押し上げ凸部１０によって、バネ４４ｃの付勢力に抗して止水弁開閉軸４４ｂが押し上げられ、図６に示すように止水弁４４ａが円周状のリブ４２ａから離れ、通気、通水が可能な状態となり、給水タンク４１内に空気が侵入して本体給水路１５１に水が供給される。
【００３２】
水の供給は給水タンク４１内に空気が侵入できる間だけ行われる。キャップ４２には切り欠き形状４２ｂが設けられていて（図１０（ａ）参照）、水が供給され始めキャップ４２の先端が水に浸かっても、切り欠き形状４２ｂから空気が侵入し水が供給され続ける。切り欠き形状４２ｂが水に浸かる位置まで水が供給されると、水によって空気の侵入が出来なくなり、空気の侵入が止まって、それにより水の供給が停止する。
【００３３】
このように切り欠き形状４２ｂが浸かる位置で水の供給が停止するので、この切り欠き形状４２ｂが浸かる位置が貯水部１７１に貯められる水の水位と同水位となり、蒸気生成装置７１に供給される水の水位もまた同水位となる。
【００３４】
この水の供給が停止した状態から加湿機１００を稼働させると、蒸気生成装置７１の蒸気生成用ヒーター７２の通電により水が加熱され蒸気化して高湿度空気が生成され、それにより蒸気生成装置７１に供給された水が蒸発した分減って水位が下がり始める。
【００３５】
蒸気生成装置７１に供給された水と同水位である貯水部１７１及びキャップ収容部１３の水位も同様に下がり始め、キャップ４２の切り欠き形状４２ｂが露出するまで水位が下がると、切り欠き形状４２ｂから再び空気の侵入が可能となり、切り欠き形状４２ｂが浸かる位置まで水が供給されると、そこでまた空気の侵入が止まり、再び水の供給が停止する。これを、蒸気生成装置７１の稼働に合わせ、給水タンク４１に注水した水が空になるまで複数回繰り返し、蒸気生成装置７１に水を供給し続けるようになっている。
【００３６】
前述のような給水タンク４１が取り付けられる、給水タンク取り付け部１２のキャップ収容部１３であるが、図７に示すように前後方向の長さがＡ、幅（左右）方向の長さがＢとなっていて、Ａ＞Ｂの関係となっている。
【００３７】
この前後方向の長さの違いは、図６に示すようにキャップ収容部１３の後側の壁であるキャップ収容部後側壁１３ａとキャップ４２との隙間Ｃよりも、キャップ収容部前側壁１３ｂとキャップ４２との隙間Ｄを広くするために成されたものである。
【００３８】
給水タンク４１を取り外そうとして、給水タンク４１を持ち上げると、前述のように（図１０（ｃ）参照）、給水タンク４１上方が後方に傾斜するため、それにともないキャップ４２は前方へ傾斜する。
【００３９】
よって、キャップ収容部前側壁１３ｂとキャップ４２との隙間Ｄが、隙間Ｃ程度しかない場合、前側に傾斜したキャップ４２が直ぐにキャップ収容部前側壁１３ｂと接触し、擦れながら上方へ移動することになり、給水タンク４１の取り外しがスムーズにできなくなってしまう。
【００４０】
本発明の実施の形態１のように、キャップ収容部前側壁１３ｂとキャップ４２との隙間Ｄを広くすることで、キャップ４２が前側に傾斜しても、図９（ｂ）、図９（ｃ）に示すように、給水タンク４１の取り外しの途中でキャップ４２がキャップ収容部前側壁１３ｂと接触することなく取り外せるので、給水タンク４１の取り外しがスムーズにできる。
【００４１】
当然、給水タンク４１の取り付けにおいても、持ち上げた状態の給水タンク４１が後方に傾いて、キャップ４２が前側に傾斜しているので、キャップ４２がキャップ収容部前側壁１３ｂと接触することなく取り付けられるので、スムーズな取り付けが可能である。
【００４２】
それから、キャップ収容部１３には、キャップ４２を直接受けるキャップ受け面１３１が設けられ、キャップ４２がキャップ受け面１３１に当接したときに、キャップ収容部１３の深さはキャップ４２の高さ方向の半分程度となっている（図６参照）。
【００４３】
また、キャップ４２がキャップ受け面１３１に当接したときに、給水タンク４１を受けるための支持部１２１、１４１が給水タンク取り付け部１２に設けられている。
【００４４】
キャップ収容部１３を深くして給水タンク取り付け部１２で直接給水タンク４１を受けるようにすると、キャップ４２が高さ方向において全体がキャップ収容部１３に囲まれてしまい、前述のようにキャップ収容部後側壁１３ａとキャップ４２との隙間Ｃよりも、キャップ収容部前側壁１３ｂとキャップ４２との隙間Ｄを広くしても、給水タンク４１が後方に傾斜したときにキャップ４２がキャップ収容部前側壁１３ａとキャップ収容部前側壁１３ｂと接触し、擦れて給水タンク４１が取り外し難くなる。
【００４５】
そのため、給水タンク４１を受けるための支持部１２１、１４１を設けることでキャップ収容部１３を深くせずに済むので、給水タンク４１が後方に傾斜したときにキャップ４２がキャップ収容部前側壁１３ａとキャップ収容部前側壁１３ｂと接触することも、擦れることもなく給水タンク４１の取り外しがスムーズにできる。
【００４６】
なお、ここでは図７に示すように支持部１２１はリブ形状、支持部１４１は凸形状としたが、その逆に支持部１２１を凸形状、支持部１４１をリブ形状としてもよく、また支持部の１２１、１４１全てをリブ形状あるいは凸形状にしてもよく、何れにおいても給水タンク４１の取り外しがスムーズに行える。
【００４７】
次に、図８に示すように、給水タンク４１の下方を囲むように本体１に壁部６が設けられている。壁部６は、図４に示すように本体の一方の前側から後側を通り、もう一方の前側に至るように設けられていて、この壁部６は、加湿機１００に水が供給されている状態で、加湿機１００を傾けてしまったときに、貯水部１７１やキャップ収容部１３等の水が本体１外に、できるだけ漏れないようにするためのものである。
【００４８】
壁部６は、図４に示すように本体１の後側に行くほど低くなっており、給水タンク４１の取り外し側である後側が最も低くなっている。後側の壁部６と給水タンク４１は、給水タンク４１を取り付けた状態で所定の隙間Ｅが設けられている。
【００４９】
このように後側の壁部６を低くして、給水タンク４１との間に隙間Ｅを設けたことで、給水タンク４１を取り外すために給水タンク４１を持ち上げ、給水タンク４１が後方に傾斜しても、図９（ｂ）に示すように、給水タンク４１との間に隙間Ｆが確保されていて、壁部６が給水タンク４１に干渉せず接触しないので、給水タンク４１の取り外しがスムーズにできる。
【００５０】
また、当然であるが、給水タンク４１の取り付けにおいても、持ち上げた状態の給水タンク４１が後方に傾いて、キャップ４２が前側に傾斜しているので、後側の壁部６が低く、壁部６と給水タンク４１との間に、給水タンク４１を取り付ける途中の状態で隙間Ｆ、給水タンク４１を取り付けた後の状態で隙間Ｅが空くように空間が設けられているので、スムーズな取り付けが可能である。
【００５１】
前述のような取り付け構成の給水タンク４１から蒸気生成装置７１内に供給された水は、蒸気生成用ヒーター７２を通電することで加熱され湯沸かしの状態となり、蒸気化することで高温の高湿度空気となる。
【００５２】
なお、ここでは、高湿度空気を生成する手段として蒸気式を挙げているが、これに限定されるものではなく、気化式や超音波式といった手段でもよい。但し、気化式や超音波式といった手段を選択した場合は、温度の低い高湿度空気となるので、蒸気式のような温度の高い高湿度空気を発生させることができない。
【００５３】
そのため、温度の低い高湿度空気では使用者に不快感を与えてしまうような形態の加湿機、例えば、高湿度空気を直接使用者に向けて吹き出し、使用者の肌を潤したり、咽喉の乾燥を抑制したりするような使い方をする加湿機には向いていない。
【００５４】
よって、気化式や超音波式といった手段で高湿度空気を生成する加湿機で、温度の高い高湿度空気が必要であるときは、高湿度空気の流通経路の途中に輻射式ヒーターのような加熱手段を設けて、温度の低い高湿度空気を加熱して昇温させれば、温度の高い高湿度空気にすることができるので、使用者に不快感を与えることがない。
【００５５】
蒸気生成装置７１には、上方の開口を覆うように、蒸気の通気口を有する耐熱性の樹脂材で形成された蒸気生成装置カバー７５が設けられている。蒸気生成装置カバー７５を覆うようにして、その上方に蒸気送出口５２を備える耐熱性の樹脂材で形成されたダクト５１が取り付けられている。このダクト５１は蒸気送出口５２を備えており、蒸気が通気するダクトであるので、以降、蒸気ダクト５１と称する。なお、蒸気ダクト５１の詳しい構成については後述する。
【００５６】
蒸気ダクト５１を取付けた後、図４に示すフック１４を蒸気ダクト５１の凹部に係合させることで、上方へ外れないように固定される。蒸気生成装置（高湿度空気生成手段）カバー７５は、蒸気ダクト５１が固定されることにより蒸気ダクト５１と接触して動きが規制され固定される。
【００５７】
蒸気生成装置７１により蒸気化された高温の高湿度空気は、その蒸気化だけでは蒸気ダクト５１の送出口５２から送出される程の勢いがない。そのため、蒸気化された高温の高湿度空気が流れるように付勢する手段が必要となる。
【００５８】
そこで、蒸気生成装置７１の後方には、図５に示すように蒸気化された高温の高湿度空気が流れるように付勢するための搬送風を発生させる、ファン６２を有する送風機６１が設けられている。ファン６２は送風機６１の回転軸６３に圧入されて固定されている。
【００５９】
ファン６２を有する送風機６１は、加湿機１００を小形化するために、本体１（高湿度空気生成送風ユニット）の前後方向と回転軸６３が平行になるように配置されている。よって、ファン６２の外形の大きい方である円周方向が、本体１（高湿度空気生成送風ユニット）の左右（幅）方向となり、外形の小さい方である厚さ方向が前後方向となるように配置できるので、円周方向が本体１の前後方向に来るように配置するよりも本体１（高湿度空気生成送風ユニット）の前後方向の寸法を抑制でき、加湿機１００の外形寸法を大きくせずに済む。
【００６０】
また、送風機６１は図５に示すように、給水タンク４１が配置される給水タンク取付け部１２の下の空間を有効に利用して配置されているので、この配置によっても本体１（高湿度空気生成送風ユニット）の前後方向の寸法を抑制できる。
【００６１】
ファン６２はファン室６４内に配置されていて、ファン室６４は、その上方に形成された本体側風路１６と通気可能に連通している。本体側風路１６のさらに上方には本体カバー側風路２２が形成されている。
【００６２】
（本体カバーと給水タンクカバーの構成）
次に、本体カバー２と給水タンクカバー３について説明する。図１１は、本発明の実施の形態１に係る加湿器の本体カバーと給水タンクカバーが一体となった状態の断面図であり、本体カバー側風路２２は、図１１に示すように本体カバー２側に形成されていて、本体カバー２と給水タンクカバー３を一体で取り外すと本体側風路１６と分離し、本体カバー２とともに本体１から外れるようになっている。
【００６３】
本体カバー２の後側の下方には、図１２及び図１５に示すように、給水タンクカバー３を外すと露出する後側接続部２ｅが設けられている。この後側接続部２ｅで接続されていることで、本体カバー２の強度を維持しつつ、給水タンク４１が取り外し可能な開口部２ｆが構成される。
【００６４】
本体カバー２と給水タンクカバー３は、常に一体で本体から取り外すのではなく、状況に応じて給水タンクカバー３のみを取り外したり、給水タンクカバー３を取り外した後、本体カバー２を取り外したりすることができる。
【００６５】
状況に応じてというのは、例えば給水タンク４１に給水するだけであれば、本体カバー２を取り外す必要がなく、給水タンクカバー３のみを取り外せば給水タンク４１が取り外せる、あるいは、蒸気生成装置７１のお手入れと給水タンク４１への給水を同じタイミングで行うときには、本体カバー２と給水タンクカバー３を一体で同時に外す、というようなそれぞれの状況に応じてということである。
【００６６】
なお、前述した蒸気生成装置７１のお手入れであるが、蒸気生成装置７１は通常、水道水を使用して湯沸かしポットのように沸騰させて水を蒸気化しているので、湯沸かしポットの内部と同様に、水道水に含まれる一般的にカルキと呼ばれる物質、正式には次亜塩素酸カルシウム（塩化石灰とも云う）が、内部の表面に固着、堆積する。このカルキの固着、堆積が進むと加熱性能が低下してしまうので定期的に取り除かなければならず、そのためのお手入れということである。
【００６７】
給水タンクカバー３は樹脂材で形成されていて、図１５及び図１６に示す本体カバー２に設けられた爪形状２７ａ、２７ｂに、図１３（ｂ）に示す給水タンクカバー３に設けられた爪係合部３５ａ、３５ｂをそれぞれ係合させている。本体カバー２に給水タンクカバー３を取り付けるときは、図１４及び図１６（ｂ）に示すように、後述する可動ダクト３１を前方に移動した状態で行う。
【００６８】
本体カバー２が本体１に取り付いている状態で給水タンクカバー３を取り付けるときは、爪形状２７ａ、２７ｂと爪係合部３５ａ、３５ｂとの係合に併せ、給水タンクカバー３に設けられたリブ３ｂ、３ｃ（図１３（ｂ）参照）を、本体１に設けられたリブ嵌合部１６１ａ、１６１ｂ（図７参照）にそれぞれ嵌合させて取り付ける。
【００６９】
給水タンクカバー３には、図１５及び図１６（ａ）に示すように指掛け部３４が設けられている。正確には指掛け部３４は、給水タンクカバー３とは別部品である樹脂材で形成された給水タンクカバートップ３７に設けられていて、給水タンクカバートップ３７は、給水タンクカバートップ３７に設けられた爪形状３９ａ〜３９ｄを、給水タンクカバー３に設けられた爪掛け穴３８ａ〜３８ｄに係合させて取り付けられている。なお、ここでは指掛け部３４を別部品で構成するようにしたが、必ずしも別部品で構成する必要はなく、給水タンクカバー３と一体で設けてもよい。
【００７０】
指掛け部３４は、指を掛かりやすくするため、図１４に示すように突出部３６を有していて、この突出部３６に指を掛け、斜め後方に持ち上げるように傾けると、爪形状２７ａ、２７ｂと爪係合部３５ａ、３５ｂとの係合が外れ、リブ３ｂ、３ｃがリブ嵌合部１６１ａ、１６１ｂから外れて取り外すことができる。
【００７１】
なお、給水タンクカバー３は本体カバー２と一体で取り外せることを前述したが、給水タンクカバー３は可動ダクト３１により本体カバー２と固定されることについて説明する。図１６（ｂ）に示すように爪形状２７ａ、２７ｂと爪係合部３５ａ、３５ｂを係合させてから、図１６（ｃ）に示すように可動ダクト３１を後方に移動させると、給水タンクカバー３は可動ダクト３１によって上部を抑えられることになり、上方へ移動できない状態となって爪形状２７ａ、２７ｂと爪係合部３５ａ、３５ｂの係合が維持されて、本体カバー２と一体の状態となる、つまりは、給水タンクカバー３は本体カバー２と一体で取り外せる状態となる。
【００７２】
この状態から、再び可動ダクト３１を前方へ移動させれば、可動ダクト３１による給水タンクカバー３上部の抑えが解除され、爪形状２７ａ、２７ｂと爪係合部３５ａ、３５ｂの係合が外せる状態となって、給水タンクカバー３が単独で取り外せるようになる。
【００７３】
給水タンクカバー３は、給水タンク４１に注水するために単独で取り外すものであるが、給水タンクカバー３には給水タンク４１の水位が視認できるよう、水位窓３ａが設けられている（図１３（ａ）、（ｂ）参照）。水位窓３ａにより給水タンク４１の水位の低下を見て、それに応じて注水を行うことができるようになっている。
【００７４】
だが、もし、給水タンク４１の水位の低下を見逃してしまったとしても、図７に示す貯水部１７１には図示しない水位検知手段が設けられている。これによって、給水タンク４１から供給された水の水位が所定の値より下がると、供給が停止したと判断し、給水タンク４１が空であること、あるいは注水が必要であることを報知する図示しない報知手段の報知により、注水することができるようになっている。
【００７５】
次に、図４に示すように、本体カバー側風路２２と連通する本体側風路１６の最上端は、本体カバー側風路２２と通気可能に連結する開口を有する本体側連通部１９で、その開口には図示しない弾性部材、例えばバネで開口を閉塞する方向に付勢されたシャッター２０が設けられている。
【００７６】
シャッター２０は、本体カバー２を外したときに本体側風路１６から、ファン室６４へ塵等の異物が侵入したり、水が浸入したりすることを防ぐためのもので、本体カバー２が本体１に取り付けられているときは、図１１に示すリブ状の突起２４が、図示しないバネの付勢力に抗してシャッター２０を押し開くようになっている。
【００７７】
本体カバー２には、図１２に示すように本体カバー側風路２２とは別に、分岐風路２５が設けられている。本体側連通部１９は分岐されていないが、本体カバー側連通部２３は、突起２４に繋がる板状の仕切り２８で本体カバー側風路２２と分岐風路２５が仕切られていて、送風機６１の回転によりファン６２が発生させる風が、本体カバー側風路２２と分岐風路２５にそれぞれ送られる。
【００７８】
分岐風路２５に割り振られる風は、前段（段落００５９）で説明した蒸気化された高温の高湿度空気が流れるように付勢するための搬送風である。また、付勢するとともに、高温である蒸気を適度な温度に下げるための役割もある。
【００７９】
分岐風路２５は、図１１に示す連通口２９により、本体カバー２が本体１に取り付けられた状態で蒸気ダクト５１と連通、詳しくは図１７に示す蒸気ダクト５１に設けられた蒸気ダクト連通口５４と接続され連通する。
【００８０】
（蒸気ダクトの構成）
ここで、蒸気ダクト５１の詳しい構成及び関連する蒸気生成装置（高湿度空気生成手段）カバー７５について、図１７〜図２２を用い説明する。図１７（ａ）は本発明の実施の形態１に係る加湿機の蒸気ダクトの斜視図、図１７（ｂ）は本発明の実施の形態１に係る加湿機の蒸気ダクトの分解斜視図、図１８（ａ）は本発明の実施の形態１に係る加湿機の蒸気ダクトの回収穴周辺を上方から見た斜視図、図１８（ｂ）は本発明の実施の形態１に係る加湿機の蒸気ダクトの回収穴周辺を上方から見た上面図、図１９（ａ）は本発明の実施の形態１に係る加湿機の蒸気ダクトの正面図、図１９（ｂ）は本発明の実施の形態１に係る加湿機の蒸気ダクトを断面Ｈ−Ｈで切断した側面方向から見た断面図、図２０は本発明の実施の形態１に係る加湿機の蒸気ダクトを下方から見た斜視図、図２１は本発明の実施の形態１に係る加湿機の蒸気生成装置（高湿度空気生成手段）カバーを上方から見た斜視図、図２２（a）は本発明の実施の形態１に係る加湿機の蒸気ダクトを上方から見た平面図、図２２（ｂ）は本発明の実施の形態１に係る加湿機の蒸気ダクトの側面図である。
【００８１】
蒸気ダクト５１は図１７（ａ）、（ｂ）に示すように上部と下部の構成になっていて、それぞれ樹脂材料により形成され、上部は蒸気である高湿度空気に、搬送風を混合して付勢するための混合部５５であり、下部はダクト本体５６である。蒸気ダクト連通口５４は、混合部５５に設けられた蒸気ダクト連通口上部５４ａと、ダクト本体５６に設けられた蒸気ダクト連通口下部５４ｂとが、混合部５５とダクト本体５６を組立てた状態で、初めて蒸気ダクト連通口５４として機能する。
【００８２】
混合部５５は図１７（ａ）、図２２（ａ）に示すように円筒形状をしている。蒸気ダクト連通口５４は図２２（ａ）に示すように、混合部５５の円筒形状の側面に連通しており、図１９（ａ）に示すように、搬送風は混合部５５の側面に設けられた搬送風導入口５５ｄから混合部５５に導入される。
【００８３】
搬送風は、前述のように１つの役割として高湿度空気に付勢するためのもので、図２２（ａ）のイメージように搬送風導入口５５ｄから導入されると、蒸気ダクト５１の混合部５５の円筒の内周にそって流入し旋回するようになる。
【００８４】
次に、蒸気ダクト５１への高湿度空気である蒸気の流入について説明すると、蒸気ダクト５１は前段（段落００５５）で説明したように蒸気生成装置７１の上方に設けられている。蒸気生成装置７１のすぐ上には図２１に示す蒸気生成装置（高湿度空気生成手段）カバー７５が取り付けられている。蒸気生成装置（高湿度空気生成手段）カバー７５は下面が開口した円筒形状をしており、上面部７５ａに蒸気が通過する開口７５ｂが設けられている。
【００８５】
蒸気生成装置（高湿度空気生成手段）カバー７５の上面部７５ａは、外周７５ｃから中心方向に向かって開口７５ｂの方が低くなるようになっている。これは、上面部７５ａ近傍で結露した水を、蒸気生成装置７１内に回収するための構造である。
【００８６】
図１８ｂには、蒸気生成装置（高湿度空気生成手段）カバー７５が蒸気ダクト５１の下方に配置されたときの開口７５ｂの位置関係が示されている。開口７５ｂは図２１に示すように、前側寄りに設けられている。これは、図１８（ｂ）に示すように、開口７５ｂを通過した蒸気が、混合部５５の円筒の内周にそって流入した搬送風とすぐにぶつかって混合しやすくするためで、これにより蒸気が撹拌され搬送風と確実に混合されるようになる。
【００８７】
また、開口７５ｂは幅方向の長さＪよりも前後方向の長さＭの方が長くなっている。これは、幅方向の寸法を抑えることで、前後方向に長い加湿機１００が不可抗力で横倒しになったとしても、蒸気生成装置７１内で加熱されていた蒸気化する前の高温水が漏れ出しにくく、使用者の安全を守るように配慮している。
【００８８】
蒸気生成装置７１で発生させた蒸気は、前述のように蒸気生成装置（高湿度空気生成手段）カバー７５に設けられた開口７５ｂ（図５参照）を通過し、図２２（ｂ）のイメージのように蒸気ダクト５１まで上昇する。
【００８９】
蒸気は蒸気ダクト５１の混合部５５まで上昇すると、混合部５５の側面に設けられた搬送風導入口５５ｄから導入された搬送風によって撹拌され、搬送風と混合された高湿度空気となって送出口５２から送出される。
【００９０】
搬送風と蒸気は前述のように混合部５５で旋回して混合される。このとき、搬送風導入口５５ｄは図２２（ｂ）に示すように、上下方向において送出口５２よりも下方に設けられている。
【００９１】
このように配置することで、下方から上方へ旋回しながら上昇して搬送風と蒸気が混合されるので、搬送風の１つの役割である、高温である蒸気を適度な温度に下げることが確実に行えるようになる。
【００９２】
前述ように蒸気は、混合部５５の円筒の内周にそって流入した搬送風とすぐにぶつかって撹拌され搬送風と確実に混合されるようになるが、搬送風と混合された蒸気の高湿度空気は、このまま混合部５５の円筒の内周にそって流れると、図２２（ａ）に示すＫのように送出口５２から内周に沿った方向に偏って送出されてしまう。
【００９３】
そのため、内周に沿った方向に偏って送出されないよう、図２０に示すように前記蒸気ダクト５１の混合部５５の上面内部に風向を調整する風向調整リブ５５ｃが設けられている。風向調整リブ５５ｃは混合部５５の内部上面から、送出口５２の下端と同じ、あるいはそれよりも下方の位置まで垂下するように設けられている（図１９（ｂ）参照）。
【００９４】
風向調整リブ５５ｃによって、図２２（ａ）に示すように、Ｋのような高湿度空気の流れとなり、内周に沿った方向に偏って送出されず、送出口５２の中央寄りから送出されるようになる。これによって、円周に沿って旋回して混合されながらも、内周に沿った方向に偏らずに高湿度空気を送出することができる。
【００９５】
前述のように混合部５５に設けられた送出口５２は、搬送風と混合されて付勢された高湿度空気を送出するためのものである。但し、送出される高湿度空気は、搬送風と混合されているので、常温よりは温度が高いが蒸気生成装置７１から発生した高湿度空気よりは温度が低く適度な温度になっている。
【００９６】
送出口５２から送出される高湿度空気は、前述のように常温よりはまだ温度が高いことから、送出口５２の内外は結露しやすい状況となっているため、送出口５２の外側に結露を回収する構造を備えている。
【００９７】
送出口５２の下部には、送出口下部傾斜部（第１の傾斜部）８１が設けられていて、最外部から送出口５２寄りに向かって低くなるように、また、送出口５２側の中央に向かって低くなるように傾斜している。
【００９８】
よって、送出口下部傾斜部（第１の傾斜部）８１上に、結露によってできた水が拡がっても送出口５２寄りに集まり、さらに中央に向かって集まるので、その水が送出口下部傾斜部（第１の傾斜部）８１より外側に拡がり落ちることがない。
【００９９】
そして、送出口下部傾斜部（第１の傾斜部）８１の送出口５２寄りの中央、言い換えると送出口下部傾斜部（第１の傾斜部）８１の最下部には、図１８（ａ）、（ｂ）に示すように結露によってできた水を回収する回収穴８３が設けられている。
【０１００】
回収穴８３の最奥部には、回収穴８３の開口８３ａが空いている。この開口８３ａは、図１７（ｂ）に示す、ダクト本体５６のダクト外郭上部５６ａに設けられた回収部５７の上方に設けられている。
【０１０１】
回収部５７はダクト外郭上部５６ａの一部をリブ状の外周壁５８で囲うように形成されている。図１９（ｂ）に示すように、回収部５７の底部６０（ダクト外郭上部５６ａと同位面）から上方へ立設するリブ５９が設けられている。
【０１０２】
リブ５９は図１８（ｂ）に示すように、回収穴８３の開口８３ａから一部が視認できる位置に設けられている。また、図１９（ｂ）に示すように、リブ５９の上端は、回収穴８３の開口８３ａの、回収穴下端８５の一部である奥側の下端と当接している。
【０１０３】
このようにリブ５９の上端が、回収穴８３の開口８３ａの回収穴下端８５の一部と当接していることで、回収された結露によってできた水が回収穴８３からリブ５９を伝い、回収部５７に流れ込みやすくなるので回収がスムーズにできる。
【０１０４】
結露によってできた水が回収される回収部５７は、前述のようにダクト本体５６のダクト外郭上部５６ａに設けられているが、ダクト本体５６は図５に示すように蒸気生成装置（高湿度空気生成手段）７１の上方に位置しており、蒸気である高湿度空気を蒸気ダクト５１へ送るための開口７５ａを有する蒸気生成装置（高湿度空気生成手段）カバー７５を覆い、抑えるようにして蒸気生成装置（高湿度空気生成手段）カバー７５と接触している。
【０１０５】
蒸気生成装置（高湿度空気生成手段）カバー７５は、その内部を蒸気である高湿度空気が通過するため温度が高くなっており、その温度が接触していることでダクト本体５６、特にダクト外郭上部５６ａに伝わり、ダクト外郭上部５６ａの温度も高くなっている。そのため、その高い温度によって、回収された結露によってできた水の蒸発が促進される。
【０１０６】
但し、温度が高くても湿度の高い場所、例えばダクト５１内のように湿度の高い場所に回収部５７を設けても結露によってできた水の蒸発は促進されない。回収部５７は、ダクト外郭上部５６ａのような高湿度ではなく、且つ高温となる場所に設けることで、水の蒸発を促進する効果が得られるようになる。
また、図１８（ｂ）に示すように、送出口５２に連通する混合部５５を下方で支持するダクト本体５６の外郭であるダクト外郭上部５６ａに回収部５７を設けたので、送出口５２内外で結露した水の回収が容易である。
【０１０７】
なお、本発明の実施の形態では、回収された結露によってできた水の蒸発を促進するため、蒸気によって温度が高くなっている箇所（ダクト外郭上部５６ａ）に回収部を設けるようにしたが、必ずしも蒸気によって温度が高くなっている箇所に限定されるものではなく、他に温度の高い箇所、言い換えれば高温になっている箇所、例えば電動機の近傍等でもよく、回収された結露によってできた水の蒸発を促進する効果がある。
また、ヒーター等の加熱手段を別に設けて高温の箇所を創りだし、そこに回収部を設けても同様の効果を得ることができる。
【０１０８】
それから、回収穴８３に係るように、送出口下部傾斜部（第１の傾斜部）８１の奥側に、送出口下部傾斜部（第１の傾斜部）８１の横幅よりも長い、左右方向に延びる溝形状８４が設けられている。これは、一時的に回収された水の量が多くなったときに、回収穴８３の左右に水を逃すためのものである。これによって、回収された水の量が一時的に多くなっても、回収された水を溝形状８４に逃がすことで、回収に支障をきたすことがない。
【０１０９】
また、前述のように送出口５２の内外は結露しやすい状況となっているため、送出口５２の外側に結露を回収する構造を備えている他、その結露が水玉になりにくいように、送出口５２の内外に親水処理を施している。
【０１１０】
親水処理とは、物の表面に水が薄く広がるような性質を持たせる処理のことである。これにより、表面に水が薄く広がることで結露が水玉になることなく流れやすくなって、回収しやすくなる。
【０１１１】
親水処理は、例えば、送出口５２の内外の表面に二酸化ケイ素（ＳｉＯ２）化合物等を含む親水性塗料の塗布、あるいは送出口５２内外の樹脂構造部品の表面へのシボ加工、といった表面処理、また送出口５２内外の樹脂構造部品へ親水効果をもたらすグリセリン脂肪酸エステル等の添加剤の練り込み、といった方法で実現可能であり、親水性能が確保できればその方法については何れの方法を採用してもよい。
【０１１２】
親水処理を施しているのは、旋回部５５ａの内壁から送出口５２へ連通する通風路５５ｂの内壁、言い換えると蒸気ダクト５１の混合部５５の内壁である。特に送出口５２へ近づくにつれて、外側に近づくので通風路５５ｂの温度が低くなり、結露しやすい状況となることから、親水処理により結露が水玉になることなく流れやすくなっているので、蒸気ダクト５１の混合部５５の内壁の全域ではなく、通風路５５ｂの内壁にのみ親水処理を施すようにしてもよい。
【０１１３】
また、送出口５２の外側になる箇所にも親水処理を施している。図２０（ａ）に示す送出口５２からその外部に延設された送出口外壁８６、さらに旋回部５５ａと一体的に形成され、図２０（ｂ）に示す送出口５２からその外部の上下に延設された高湿度空気をより水平方向に送出するための風向板８７ａ、８７ｂに親水処理が施され、結露が水玉になることなく流れやすくなっている。
【０１１４】
さらに、送出口下部傾斜部（第１の傾斜部）８１の少なくとも上面（送出口５２に面する側）、送出口上部傾斜部（第２の傾斜部）８２の少なくとも下面（送出口５２に面する側）にも親水処理が施されて、結露が水玉になることなく流れやすくなっている。特に送出口下部傾斜部（第１の傾斜部）８１の上面に施されることで、回収穴８３に向けて水が流れやすくなり、回収しやすくなっている。
【０１１５】
さらに、送出口上部傾斜部（第２の傾斜部）８２は、送出口５２の横幅よりも広くなるように構成されており、蒸気を受けやすくなっていて結露による水の回収がしやすくなっている。同様に送出口下部傾斜部（第１の傾斜部）８１も、送出口５２の横幅よりも広くなるように構成されており、送出口上部傾斜部（第２の傾斜部）８２や送出口外壁８６などで結露した水を確実に受けることができ、回収穴８３に導きやすくなっている。
【０１１６】
次に、送出口５２から送り出された高湿度空気は、図５に示す本体１の前側を覆う本体カバー２の前側上方に設けられた吹き出し口２１から、本体１の前方に向かって吹き出される。本体１外に吹き出された高湿度空気は、温度が下がったとはいえ、通常の外気よりも高く、例えば４０度程度の温度であるので、付勢されていても直進するより上昇する傾向にある。
【０１１７】
そこで、高湿度空気の上昇を抑え、より前方方向への直進性を確保するため、高湿度空気を上から抑えこんで前方方向へガイドするための風の流れを作ることが必要となる。本体カバー２に設けられた本体カバー側風路２２は、高湿度空気が流れるように付勢するための風とは別の、高湿度空気をガイドするための風を通過させるためのものである。
【０１１８】
送風機６１の回転によりファン６２が発生させる風は、前述のように本体カバー側連通部２３で本体カバー側風路２２と分岐風路２５にそれぞれ分けて送られ、本体カバー側風路２２は分岐風路２５よりも面積が大きいので、本体カバー側風路２２側により多くの風が流れる、つまり、本体カバー側風路２２側の風の流れの方が強いということである。
【０１１９】
本体カバー側風路２２を通過した風は、加湿機１００上部、詳しくは本体カバー２上部に設けられた可動ダクト３１に送られ、加湿機１００の前方寄りに設けられた送風口３２から前方へ向かって送風される。
【０１２０】
送風口３２には、風の向きを調節する風向調節板３３が設けられていて、斜め下方に向いており、吹き出し口２１から吹き出された高湿度空気に上から被さるようにして送風され、高湿度空気が上昇しないようにガイドしている。この上方からの送風にガイドされ、高湿度空気は上昇せず前方へ吹き出されるようになっている。
【０１２１】
可動ダクト３１は、図２に示すように前方へ移動させていない状態でも、図３に示すように前方へ移動させた状態でも送風可能であるが、前方へ移動させた状態で送風すると、高湿度空気をより前方へガイドして送れるようになる。
【０１２２】
以上のように、蒸気ダクトの混合部を円筒形状にして、搬送風を混合部の側面から導入するようにしたので、蒸気ダクト内で高温の蒸気と搬送風が旋回し、蒸気と搬送風を確実に混合することができ、それにより適度な温度まで高湿度空気の温度を下げることができるので、使用者が安全に使用できる、使い勝手の良い加湿機を提供することができる。
【符号の説明】
【０１２３】
Ｇ  重心、１  本体（高湿度空気生成送風ユニット）、２  本体カバー、２ａ  本体カバー前側、２ｂ  本体カバー右側、２ｃ  本体カバー左側、２ｄ  本体カバー上側、２ｅ  後側接続部、２ｆ  開口部、３  給水タンクカバー、３ａ  水位窓、３ｂ  リブ、３ｃ  リブ、４  電源スイッチ、５  タイマースイッチ、６  壁部、１０  止水弁開閉軸押し上げ凸部、１１  発光表示操作部、１２  給水タンク取り付け部、１３  キャップ収容部、１３ａ  キャップ収容部後側壁、１３ｂ  キャップ収容部前側壁、１３ｃ  キャップ収容部左側壁（本体前側から見て）、１４  フック、１５  吸気口、１６  本体側風路、１７  電源コード接続部、１８  制御基板、１９  本体側連通部、２０  シャッター、２１  吹き出し口、２２  本体カバー側風路、２３  本体カバー側連通部、２４  突起、２５  分岐風路、２６  分岐連通部、２７ａ  爪形状、２７ｂ  爪形状、２８  仕切り、２９  連通口、３０  庇形状、３１  可動ダクト、３２  送風口、３３  風向調節板、３４  指掛け部、３５ａ  爪係合部、３５ｂ  爪係合部、３６  突出部、３７  給水タンクカバートップ、３８ａ  爪掛け穴、３８ｂ  爪掛け穴、３８ｃ  爪掛け穴、３８ｄ  爪掛け穴、３９ａ  爪形状、３９ｂ  爪形状、３９ｃ  爪形状、３９ｄ  爪形状、４１  給水タンク、４２  キャップ、４２ａ  円周状リブ、４２ｂ  切り欠き形状、４３  注水口、４４  水供給機構、４４ａ  止水弁、４４ｂ  止水弁開閉軸、４４ｃ  バネ、４５  ハンドル、４５ａ  回動軸、５１  ダクト（蒸気ダクト）、５２  送出口、５３  凹部、５４  蒸気ダクト連通口、５４ａ  蒸気ダクト連通口上部、５４ｂ  蒸気ダクト連通口下部、５５  混合部、５５ａ  旋回部、５５ｂ  通風路、５５ｃ  風向調整リブ、５５ｄ  搬送風導入口、５６  ダクト本体、５６ａ  ダクト外郭上部、５７  回収部、５８  外周壁、５９  リブ、６０  回収部底部、６１  送風機、６２  ファン、６３  回転軸、６４  ファン室、７１  蒸気生成装置（高湿度空気生成手段）、７２  蒸気生成用ヒーター、７３  水供給口、７４  蒸気生成装置給水経路、７５  蒸気生成装置（高湿度空気生成手段）カバー、７５ａ  上面部、７５ｂ  開口、７５ｃ  外周、８１  送出口下部傾斜部（第１の傾斜部）、８２  送出口上部傾斜部（第２の傾斜部）、８３  回収穴、８３ａ  開口、８４  溝形状、８５  回収穴下端、８６  送出口外壁、８７ａ  風向板、８７ｂ  風向板、１００  加湿機、１１１  操作基板、１１４  電源ボタン、１１５  タイマーボタン、１１６  発光部、１１７ａ  発光部、１１７ｂ  発光部、１１７ｃ  発光部、１１７ｄ  発光部、１１７ｅ  発光部、１１７ｆ  発光部、１１７ｇ  発光部、１１８  発光部、１２１  タンク支持部、１３１  キャップ受け面、１４１  タンク支持部、１５１  本体給水路、１６１ａ  リブ嵌合部、１６１ｂ  リブ嵌合部、１７１  貯水部。
【図１】
0006390269.tif 000002
【図２】
0006390269.tif 000003
【図３】
0006390269.tif 000004
【図４】
0006390269.tif 000005
【図５】
0006390269.tif 000006
【図６】
0006390269.tif 000007
【図７】
0006390269.tif 000008
【図８】
0006390269.tif 000009
【図９】
0006390269.tif 000010
【図１０】
0006390269.tif 000011
【図１１】
0006390269.tif 000012
【図１２】
0006390269.tif 000013
【図１３】
0006390269.tif 000014
【図１４】
0006390269.tif 000015
【図１５】
0006390269.tif 000016
【図１６】
0006390269.tif 000017
【図１７】
0006390269.tif 000018
【図１８】
0006390269.tif 000019
【図１９】
0006390269.tif 000020
【図２０】
0006390269.tif 000021
【図２１】
0006390269.tif 000022
【図２２】
0006390269.tif 000023